(57)【特許請求の範囲】
【請求項１】
無線ネットワークの第２のベーシックサービスセット（ＢＳＳ）に隣接して動作可能な前記無線ネットワークの第１のベーシックサービスセット（ＢＳＳ）において通信可能な送受信機を備え、前記第１のＢＳＳおよび前記第２のＢＳＳが、前記第１のＢＳＳおよび前記第２のＢＳＳが少なくとも部分的に重複するチャネルを含むように、動作する場合、前記第１のＢＳＳおよび前記第２のＢＳＳが、前記チャネルが少なくとも部分的に重複することによって、互いに衝突することを回避するべく、前記送受信機は、前記第１のＢＳＳのプライマリチャネルを、前記第２のＢＳＳのプライマリチャネルに隣接するように選択する装置。
【請求項２】
前記チャネルは、前記第１のＢＳＳと前記第２のＢＳＳとの間の４０ＭＨｚのチャネルの境界をまたいだ４０ＭＨｚのＰＰＤＵの送信を可能とする４０ＭＨｚのチャネルである請求項１に記載の装置。
【請求項３】
前記送受信機は、前記第１のＢＳＳのアクセスポイント（ＡＰ）として動作可能であり、米国電気電子学会（ＩＥＥＥ）８０２．１１ａｃ規格に準拠して動作し、前記第２のＢＳＳは、ＩＥＥＥ８０２．１１ｎ規格に準拠して動作する請求項１または２に記載の装置。
【請求項４】
前記８０２．１１ａｃ規格のネットワークの前記ＡＰは、８０ＭＨｚのＰＰＤＵの送信のために４つの連続した空きチャネルを求めて５ＧＨｚ帯域をまず走査して、４つの空きチャネルが利用可能である場合、前記ＡＰは、前記第１のＢＳＳの動作について前記４つの空きチャネルを利用し、空きチャネルが４つ未満である場合、前記ＡＰは最もアクティブでないＢＳＳの４つのチャネルを選択する請求項３に記載の装置。
【請求項５】
選択された前記４つのチャネルにおいて４０ＭＨｚの８０２．１１ｎ規格のＢＳＳが動作している場合、前記ＡＰは、隣接する４０ＭＨｚのＢＳＳのプライマリチャネルを求めて走査を行い、可能であれば４０ＭＨｚの８０２．１１ｎ規格のＢＳＳの前記プライマリチャネルの隣のチャネルを、前記８０２．１１ａｃ規格のＢＳＳのプライマリチャネルとして選択する請求項４に記載の装置。
【請求項６】
前記８０２．１１ａｃ規格のＡＰが前記８０２．１１ｎ規格のＢＳＳのプライマリチャネルの隣のプライマリチャネルを選択することができる場合、前記ＡＰは、前記４０ＭＨｚのチャネルの境界にまたがった４０ＭＨｚのＰＰＤＵの送信をイネーブルし、前記８０２．１１ａｃ規格のＡＰが前記８０２．１１ｎ規格のＢＳＳのプライマリチャネルの隣のプライマリチャネルを選択することができない場合、前記ＡＰは、前記４０ＭＨｚのチャネルの境界にまたがった前記４０ＭＨｚのＰＰＤＵの送信をディセーブルする請求項５に記載の装置。
【請求項７】
無線ネットワークの第２のベーシックサービスセット（ＢＳＳ）に隣接して動作可能な前記無線ネットワークの第１のベーシックサービスセット（ＢＳＳ）において通信可能な送受信機を動作させる段階を備え、前記第１のＢＳＳおよび前記第２のＢＳＳが、前記第１のＢＳＳおよび前記第２のＢＳＳが少なくとも部分的に重複するチャネルを含むように、動作する場合、前記第１のＢＳＳおよび前記第２のＢＳＳが、前記チャネルが少なくとも部分的に重複することによって、互いに衝突することを回避するべく、前記送受信機は、前記第１のＢＳＳのプライマリチャネルを、前記第２のＢＳＳのプライマリチャネルに隣接するように選択する方法。
【請求項８】
前記チャネルは、前記第１のＢＳＳと前記第２のＢＳＳとの間の４０ＭＨｚのチャネルの境界をまたいだ４０ＭＨｚのＰＰＤＵの送信を可能とする４０ＭＨｚのチャネルである請求項７に記載の方法。
【請求項９】
前記送受信機を前記第１のＢＳＳのアクセスポイント（ＡＰ）として動作させる段階であって、米国電気電子学会（ＩＥＥＥ）８０２．１１ａｃ規格に準拠して動作させる段階をさらに備え、前記第２のＢＳＳは、ＩＥＥＥ８０２．１１ｎ規格に準拠して動作する請求項７または８に記載の方法。
【請求項１０】
前記８０２．１１ａｃ規格のネットワークの前記ＡＰは、８０ＭＨｚのＰＰＤＵの送信のために４つの連続した空きチャネルを求めて５ＧＨｚ帯域をまず走査して、４つの空きチャネルが利用可能である場合、前記ＡＰは、前記第１のＢＳＳの動作について前記４つの空きチャネルを利用し、空きチャネルが４つ未満である場合、前記ＡＰは最もアクティブでないＢＳＳの４つのチャネルを選択する請求項９に記載の方法。
【請求項１１】
選択された前記４つのチャネルにおいて４０ＭＨｚの８０２．１１ｎ規格のＢＳＳが動作している場合、前記ＡＰは、隣接する４０ＭＨｚのＢＳＳのプライマリチャネルを求めて走査を行い、可能であれば４０ＭＨｚの８０２．１１ｎ規格のＢＳＳの前記プライマリチャネルの隣のチャネルを、前記８０２．１１ａｃ規格のＢＳＳのプライマリチャネルとして選択する請求項１０に記載の方法。
【請求項１２】
前記８０２．１１ａｃ規格のＡＰが前記８０２．１１ｎ規格のＢＳＳのプライマリチャネルの隣のプライマリチャネルを選択することができる場合、前記ＡＰは、前記４０ＭＨｚのチャネルの境界にまたがった４０ＭＨｚのＰＰＤＵの送信をイネーブルし、前記８０２．１１ａｃ規格のＡＰが前記８０２．１１ｎ規格のＢＳＳのプライマリチャネルの隣のプライマリチャネルを選択することができない場合、前記ＡＰは、前記４０ＭＨのチャネルの境界にまたがった前記４０ＭＨｚのＰＰＤＵの送信をディセーブルする請求項１１に記載の方法。
【請求項１３】
コンピュータに、無線ネットワークの第２のベーシックサービスセット（ＢＳＳ）に隣接して動作可能な前記無線ネットワークの第１のベーシックサービスセット（ＢＳＳ）において通信可能な送受信機を動作させる手順を実行させるためのプログラムであって、前記第１のＢＳＳおよび前記第２のＢＳＳが、前記第１のＢＳＳおよび前記第２のＢＳＳが少なくとも部分的に重複するチャネルを含むように、動作する場合、前記第１のＢＳＳおよび前記第２のＢＳＳが、前記チャネルが少なくとも部分的に重複することによって、互いに衝突することを回避するべく、前記送受信機は、前記第１のＢＳＳのプライマリチャネルを、前記第２のＢＳＳのプライマリチャネルに隣接するように選択するプログラム。
【請求項１４】
前記チャネルは、前記第１のＢＳＳと前記第２のＢＳＳとの間の４０ＭＨｚのチャネルの境界をまたいだ４０ＭＨｚのＰＰＤＵの送信を可能とする４０ＭＨｚのチャネルである請求項１３に記載のプログラム。
【請求項１５】
前記コンピュータにさらに、前記送受信機を、前記第１のＢＳＳのアクセスポイント（ＡＰ）として動作させる手順であって、米国電気電子学会（ＩＥＥＥ）８０２．１１ａｃ規格に準拠して動作させる手順を実行させ、前記第２のＢＳＳは、ＩＥＥＥ８０２．１１ｎ規格に準拠して動作する請求項１３または１４に記載のプログラム。
【請求項１６】
前記８０２．１１ａｃ規格のネットワークの前記ＡＰは、８０ＭＨｚのＰＰＤＵの送信のために４つの連続した空きチャネルを求めて５ＧＨｚ帯域をまず走査して、４つの空きチャネルが利用可能である場合、前記ＡＰは、前記第１のＢＳＳの動作について前記４つの空きチャネルを利用し、空きチャネルが４つ未満である場合、前記ＡＰは最もアクティブでないＢＳＳの４つのチャネルを選択する請求項１５に記載のプログラム。
【請求項１７】
選択された前記４つのチャネルにおいて４０ＭＨｚの８０２．１１ｎ規格のＢＳＳが動作している場合、前記ＡＰは、隣接する４０ＭＨｚのＢＳＳのプライマリチャネルを求めて走査を行い、可能であれば４０ＭＨｚの８０２．１１ｎ規格のＢＳＳの前記プライマリチャネルの隣のチャネルを、前記８０２．１１ａｃ規格のＢＳＳのプライマリチャネルとして選択する請求項１６に記載のプログラム。
【請求項１８】
前記８０２．１１ａｃ規格のＡＰが前記８０２．１１ｎ規格のＢＳＳのプライマリチャネルの隣のプライマリチャネルを選択することができる場合、前記ＡＰは、前記４０ＭＨｚのチャネルの境界にまたがった４０ＭＨｚのＰＰＤＵの送信をイネーブルし、前記８０２．１１ａｃ規格のＡＰが前記８０２．１１ｎ規格のＢＳＳのプライマリチャネルの隣のプライマリチャネルを選択することができない場合、前記ＡＰは、前記４０ＭＨｚのチャネルの境界を超えた前記４０ＭＨｚのＰＰＤＵの送信をディセーブルする請求項１７に記載のプログラム。
【請求項１９】
無線ネットワークアクセスポイント（ＡＰ）であって、
無線ネットワークの第２のベーシックサービスセット（ＢＳＳ）に隣接して動作可能な前記無線ネットワークの第１のベーシックサービスセット（ＢＳＳ）において通信可能な送受信機を備え、前記第１のＢＳＳおよび前記第２のＢＳＳが、前記第１のＢＳＳおよび前記第２のＢＳＳが少なくとも部分的に重複するチャネルを含むように、動作する場合、前記第１のＢＳＳおよび前記第２のＢＳＳが、前記チャネルが少なくとも部分的に重複することによって、互いに衝突することを回避するべく、前記送受信機は、前記第１のＢＳＳのプライマリチャネルを、前記第２のＢＳＳのプライマリチャネルに隣接するように選択するＡＰ。
【請求項２０】
前記チャネルは、前記第１のＢＳＳと前記第２のＢＳＳとの間の４０ＭＨｚのチャネルの境界をまたいだ４０ＭＨｚのＰＰＤＵの送信を可能とする４０ＭＨｚのチャネルである請求項１９に記載のＡＰ。
【請求項２１】
前記ＡＰは、米国電気電子学会（ＩＥＥＥ）８０２．１１ａｃ規格に準拠して動作し、前記第２のＢＳＳは、ＩＥＥＥ８０２．１１ｎ規格に準拠して動作する請求項１９または２０に記載のＡＰ。
【請求項２２】
前記８０２．１１ａｃ規格のネットワークの前記ＡＰは、８０ＭＨｚのＰＰＤＵの送信のために４つの連続した空きチャネルを求めて５ＧＨｚ帯域をまず走査して、４つの空きチャネルが利用可能である場合、前記ＡＰは、前記第１のＢＳＳの動作について前記４つの空きチャネルを利用し、空きチャネルが４つ未満である場合、前記ＡＰは最もアクティブでないＢＳＳの４つのチャネルを選択する請求項２１に記載のＡＰ。
【請求項２３】
選択された前記４つのチャネルにおいて４０ＭＨｚの８０２．１１ｎ規格のＢＳＳが動作している場合、前記ＡＰは、隣接する４０ＭＨｚのＢＳＳのプライマリチャネルを求めて走査を行い、可能であれば４０ＭＨｚの８０２．１１ｎ規格のＢＳＳの前記プライマリチャネルの隣のチャネルを、前記８０２．１１ａｃ規格のＢＳＳのプライマリチャネルとして選択する請求項２２に記載のＡＰ。
【請求項２４】
前記８０２．１１ａｃ規格のＡＰが前記８０２．１１ｎ規格のＢＳＳのプライマリチャネルの隣のプライマリチャネルを選択することができる場合、前記ＡＰは、前記４０ＭＨｚのチャネルの境界にまたがった４０ＭＨｚのＰＰＤＵの送信をイネーブルし、前記８０２．１１ａｃ規格のＡＰが前記８０２．１１ｎ規格のＢＳＳのプライマリチャネルの隣のプライマリチャネルを選択することができない場合、前記ＡＰは、前記４０ＭＨのチャネルの境界を超えた前記４０ＭＨｚのＰＰＤＵの送信をディセーブルする請求項２３に記載のＡＰ。
【発明の詳細な説明】
【背景技術】
【０００１】
無線ネットワークは、今日の社会において、至るところで利用されているとともに必要不可欠なものである。無線ネットワークは、さまざまな技術を利用して、情報を送受信するとしてよい。限定するものではないが、例えば、米国電気電子学会（ＩＥＥＥ）８０２．１１ａｃ規格に準拠した技術およびＩＥＥＥ８０２．１１ｎ規格に準拠して動作する技術という２つの技術が挙げられる。このように独特な無線ネットワークは、チャネル同士が重複している場合があるので、このような無線ネットワークではプライマリチャネル選択を行う方法が必要である。
【図面の簡単な説明】
【０００２】
本発明と見なされる主題は、本明細書の結論部分に具体的に記載されているとともに明確に請求されている。しかし、本発明は、その目的、特徴および利点に加えて、構成および動作方法の両方に関して、添付図面を参照しつつ以下に記載する詳細な説明を読むことで、最も深い理解が得られるであろう。添付図面は以下の通りである。
【図１】８０２．１１ｎ規格および８０２．１１ａｃ規格の４０ＭＨｚチャネルの部分重複問題を説明するための図である。
【図２】本発明の実施形態に係る、プライマリチャネル選択を説明するための図である。  説明を簡単かつ明瞭にするべく、図中に図示している構成要素は必ずしも実寸に即したものではないと理解されたい。例えば、一部の構成要素の寸法は、分かり易いように、他の構成要素に対して強調されている。さらに、適切であると考えられる場合には、複数の図面にわたって同じ参照番号を繰り返し利用して、対応する構成要素または同様の構成要素を指し示す。
【発明を実施するための形態】
【０００３】
以下に記載する詳細な説明では、本発明を深く理解していただくべく具体的且つ詳細な内容を数多く記載する。しかし、当業者におかれては、本発明は開示するこれらの具体的且つ詳細な内容を採用することなく実施し得るものと理解されたい。また、公知の方法、手順、構成要素および回路は、本発明をあいまいにすることなく、詳細な説明を省略している。
【０００４】
本発明の実施形態は、これに限定されるものではないが、例えば、「処理」、「算出」、「計算」、「判断」、「構築」、「分析」、「確認」等の用語を用いて説明する場合、コンピュータのレジスタおよび／またはメモリで物理的（例えば、電子的）な量で表現されるデータを操作および／または変換して、コンピュータのレジスタおよび／またはメモリ、または、演算および／またはプロセスを実行するための命令を格納する他の情報格納媒体で同様に物理的な量で表現される他のデータを生成するコンピュータ、コンピューティングプラットフォーム、コンピューティングシステム、または、他の電子コンピューティングデバイスの演算および／またはプロセスを意味するとしてよい。
【０００５】
本発明の実施形態は、これに限定されるものではないが、「複数」という用語が本明細書で用いられる場合、例えば、「多数」または「２以上」という意味を含むとしてよい。「複数」という用語は、２以上の構成要素、デバイス、素子、ユニット、パラメータ等を説明するために、本明細書において繰り返し利用するとしてよい。例えば、「複数の局」は、２以上の局を含むとしてよい。
【０００６】
米国電気電子学会（ＩＥＥＥ）８０２．１１ａｃ規格に準拠した無線ネットワークおよびＩＥＥＥ８０２．１１ｎ規格および８０２．１１ａｃ規格に準拠して動作する無線ネットワークにおいて、データレートを高くするべく４つの２０ＭＨｚチャネルを利用する、８０ＭＨｚのＰＰＤＵ送信が提案されている。４つのチャネルのうち１つが、完全な搬送波感知多重アクセス／衝突回避（ＣＳＭＡ／ＣＡ）方式およびネットワークアロケーションベクトル（ＮＡＶ）による追跡を実行可能なプライマリチャネルとして割り当てられ、残りの３つのチャネルは、クリアチャネルアセスメント（ＣＣＡ）の機能のみの副次チャネルとして割り当てられる。８０２．１１ａｃでは、プライマリチャネルのみが完全なＣＳＭＡ／ＣＡを実行可能であるので、全ての送信がプライマリチャネルを含む。
【０００７】
ＣＣＡメカニズム毎に感度レベルが異なる。例えば、８０２．１１ｎ規格では、エネルギー検出しきい値（例えば、−６２ｄＢｍ）よりも高いエネルギーを持つ副次チャネルでの信号を検出するエネルギー検出メカニズムを利用している。プリアンブル検出またはガードインターバル検出の方が信号検出感度が高く、通常はエネルギー検出方式よりもはるかに感度が高い（つまり、感度が２０ｄＢ高い）。
【０００８】
８０２．１１ａｃ規格に準拠したデバイスは、チャネルが利用可能かどうかに応じて、１つまたは２つまたは４つの２０ＭＨｚチャネルを利用して２０ＭＨｚまたは４０ＭＨｚまたは８０ＭＨｚのＰＰＤＵを送信するとしてよい。チャネルが利用可能かどうかは、ＣＣＡの結果によって判断する。２０ＭＨｚで送信する場合、プライマリチャネルを用いて２０ＭＨｚのＰＰＤＵを送信するとしてよい。８０ＭＨｚのＰＰＤＵを送信する場合、４つのチャネル全てを利用する。しかし、４０ＭＨｚのＰＰＤＵを送信する場合、プライマリチャネルの位置によって、複数の選択肢が存在し得る。プライマリチャネルが４つのチャネルのうち中心にある場合には、４０ＭＨｚのＰＰＤＵの送信については、２つの選択肢が考えられる。しかし、４０ＭＨｚのＰＰＤＵの送信の場合、２つの中心のチャネルを利用すると、４０ＭＨｚのチャネルの境界を越え、この送信は、８０２．１１ｎに準拠したデバイスによる他の近傍の４０ＭＨｚのＰＰＤＵの送信と、周波数ドメインで部分的に重複する可能性がある。
【０００９】
この様子を図１に図示している。図１は、全体が１００という参照番号で示され、４０ＭＨｚチャネルの部分重複の問題の一例を示している。図示した例では、３つのＢＳＳが、以下の条件の下、互いに近接した位置にある。
受信信号強度は、プリアンブル検出しきい値またはガードインターバル検出しきい値よりも高く（つまり、＞−８２ｄＢｍ）、エネルギー検出レベルよりも低い（つまり、＜−６２ｄＢｍ）。
１）２０／４０ＭＨｚの８０２．１１ｎ規格のＢＳＳでは、Ｃｈ＃３  １１５およびＣｈ＃４  １２０を利用している（Ｃｈ＃４：プライマリチャネル、Ｃｈ＃３：副次チャネル）。
２）２０／４０／８０ＭＨｚの８０２．１１ａｃ規格のＢＳＳでは、４つのチャネルＣｈ＃１−＃４、１０５、１１０、１１５、および１２０（Ｃｈ＃２：プライマリチャネル１１０）全てを利用している。
３）２０ＭＨｚの８０２．１１ａ／ｎ規格のＢＳＳはＣｈ＃１  １０５を利用している。
【００１０】
８０２．１１ａｃ規格では、２０ＭＨｚまたは４０ＭＨｚまたは８０ＭＨｚのＰＰＤＵの送信のみが許可されている。８０２．１１ａｃ規格に準拠したＢＳＳのバックオフカウンタがプライマリチャネル（Ｃｈ＃２）１１０で規定値に到達すると、８０２．１１ａｃに準拠したデバイスは、副次チャネルを確認して、バックオフタイマが規定値に到達する前に、少なくともＰＩＦＳ１３５の期間にわたってチャネルがアイドルであるか否かを調べる。８０２．１１ａｃ規格ではガードインターバル検出方式が利用されると仮定すると、８０２．１１ａｃ規格に準拠したデバイスは、Ｃｈ＃１  １０５がビジー状態で残りの副次チャネルがアイドル状態であることを検出することができ、４０ＭＨｚのＰＰＤＵ１４０をＣｈ＃２  １１０およびＣｈ３＃  １１５で送信し始める。しかし、８０２．１１ｎ規格に準拠したデバイスでは、副次チャネルにおいてエネルギー検出機能しか持たないので、８０２．１１ａｃ規格によるＣｈ３＃  １１５での４０ＭＨｚのＰＰＤＵ１４０の送信を検出することができず、Ｃｈ＃３  １１５およびＣｈ＃４  １２０で４０ＭＨｚのＰＰＤＵ１４５を送信し始めてしまい、８０２．１１ａｃ規格による４０ＭＨｚのＰＰＤＵ１４０の送信と、８０２．１１ｎ規格による４０ＭＨｚのＰＰＤＵ１４５の送信との間に衝突１５５が発生してしまう。
【００１１】
本発明の実施形態は、以下を備えるとしてよい。
１）５ＧＨｚ帯域において４０ＭＨｚチャネルの部分重複の問題を引き起こすことなく、４０ＭＨｚのＰＰＤＵの送信を４０ＭＨｚチャネルの境界をまたいで実行可能とするプライマリチャネル選択アルゴリズム
２）４０ＭＨｚチャネルの境界を越えて４０ＭＨｚのＰＰＤＵの送信をイネーブルまたはディセーブルするタイミングを判断するアルゴリズム
【００１２】
さらに、本発明の実施形態によれば、プライマリチャネル選択アルゴリズムは、隣接する４０ＭＨｚの８０２．１１ｎ規格のＢＳＳのプライマリチャネルの隣りのチャネルを、８０２．１１ａｃ規格のプライマリチャネルとして選択するとしてよい。これによって、４０ＭＨｚのチャネルの部分重複の問題に起因する８０２．１１ｎ規格と８０２．１１ａｃ規格との間に衝突が防止される。
【００１３】
ここで図２を参照すると、本発明の実施形態に係るプライマリチャネル選択方法が図示されている。図２では、全体が参照番号２００で示されており、衝突防止対策が取られている。８０２．１１ｎのプライマリチャネル２１５（Ｃｈ＃３）と８０２．１１ａｃのプライマリチャネル２１０（Ｃｈ＃２）は、互いに隣り合わせになっている。Ｃｈ＃１  ２０５がビジー状態で、８０２．１１ａｃ規格に準拠したデバイス２２５が、バックオフタイマが規定値に到達すると、４０ＭＨｚのＰＰＤＵ２５０の送信について、最初にＣｈ＃２  ２１０およびＣｈ＃３  ２１５にアクセスすると仮定する。８０２．１１ｎ規格のデバイス２３０のプライマリチャネルがＣｈ＃３  ２１５であるので、８０２．１１ｎ規格のデバイス２３０は、４０ＭＨｚのＰＰＤＵ２５０のプリアンブル２６０を検出することによって、Ｃｈ＃３  ２１５で行われている４０ＭＨｚのＰＰＤＵ２５０の送信を検出することができ、衝突を回避することができる。
【００１４】
これに限定されるものではないが、このアルゴリズムを実装する方法の１つとして、以下のものが挙げられる。
ステップ１：８０２．１１ａｃ規格に準拠したＡＰが最初に、５ＧＨｚ帯域を走査して、８０ＭＨｚのＰＰＤＵの送信のために、４つの連続した空きチャネルを探す。利用可能な４つの空きチャネルがあれば、これらを用いてＢＳＳ動作を実行する。空きチャネルが４つ未満である場合、最もアクティブでないＢＳＳのチャネル４つを選択する。
ステップ２：選択された４つのチャネルで動作している４０ＭＨｚの８０２．１１ｎ規格のＢＳＳがある場合、隣接する４０ＭＨｚのＢＳＳのプライマリチャネルを探すべく走査を行う。可能であれば、４０ＭＨｚの８０２．１１ｎ規格のＢＳＳのプライマリチャネルの隣のチャネルを、８０２．１１ａｃのＢＳＳのプライマリチャネルとして選択する。
ステップ３：８０２．１１ａｃ規格のＡＰが、８０２．１１ｎ規格のＢＳＳのプライマリチャネルの隣りのプライマリチャネルを選択すると、４０ＭＨｚのチャネル境界をまたいだ４０ＭＨｚのＰＰＤＵの送信をイネーブルする。そのように選択しない場合には、４０ＭＨｚのチャネル境界をまたいだ４０ＭＨｚのＰＰＤＵの送信をディセーブルする。
【００１５】
４０ＭＨｚのチャネル境界をまたいで４０ＭＨｚのＰＰＤＵの送信をイネーブルすることによって、８０２．１１ａｃ規格に準拠したデバイスは、４０ＭＨｚのチャネル境界をまたいだ４０ＭＨｚのＰＰＤＵの送信が許可されない場合に比べると、スループットが最高２０％高くなる（３つの副次チャネルが８０％ロードされる場合）。この効果は、８０２．１１ａｃ規格に準拠したデバイスが、境界を越えた送信が許可されない場合はＣｈ＃１およびＣｈ＃２を用いて４０ＭＨｚのＰＰＤＵを送信するという１つの選択肢のみである一方、Ｃｈ＃１およびＣｈ＃２、または、Ｃｈ＃２およびＣｈ＃３のどちらかを用いて４０ＭＨｚのＰＰＤＵを送信可能という事実から得られる効果である。
【００１６】
本発明の別の実施形態は、本発明で利用される方法であって、無線ネットワークの第２のベーシックサービスセット（ＢＳＳ）に隣接して動作可能な、無線ネットワークの第１のベーシックサービスセット（ＢＳＳ）において通信可能な送受信機を動作させる段階を備える方法を提供する。第１のＢＳＳおよび第２のＢＳＳが、第１のＢＳＳおよび第２のＢＳＳが少なくとも部分的に重複するチャネルを含むように、動作する場合、送受信機は、第１のＢＳＳのプライマリチャネルを、第２のＢＳＳのプライマリチャネルに隣接するように選択するので、第１および第２のＢＳＳは、少なくとも部分的に重複することによって、互いに衝突することを回避する。
【００１７】
本発明のさらに別の実施形態によると、無線ネットワークアクセスポイント（ＡＰ）が提供されるとしてよい。当該無線ネットワークＡＰは、無線ネットワークの第２のベーシックサービスセット（ＢＳＳ）に隣接して動作可能な、無線ネットワークの第１のベーシックサービスセット（ＢＳＳ）において通信可能な送受信機を備えるとしてよい。第１のＢＳＳおよび第２のＢＳＳが、第１のＢＳＳおよび第２のＢＳＳが少なくとも部分的に重複するチャネルを含むように、動作する場合、送受信機は、第１のＢＳＳのプライマリチャネルを、第２のＢＳＳのプライマリチャネルに隣接するように選択するので、第１および第２のＢＳＳは、少なくとも部分的に重複することによって、互いに衝突することを回避する。
【００１８】
本発明のさらに別の実施形態によると、コンピュータで実行可能な命令が符号化されているコンピュータ可読媒体が提供されるとしてよい。当該命令にアクセスすると、機械は、無線ネットワークの第２のベーシックサービスセット（ＢＳＳ）に隣接して動作可能な、無線ネットワークの第１のベーシックサービスセット（ＢＳＳ）において通信可能な送受信機を動作させる段階を備える処理を実行するとしてよい。第１のＢＳＳおよび第２のＢＳＳが、第１のＢＳＳおよび第２のＢＳＳが少なくとも部分的に重複するチャネルを含むように、動作する場合、送受信機は、第１のＢＳＳのプライマリチャネルを、第２のＢＳＳのプライマリチャネルに隣接するように選択するので、第１および第２のＢＳＳは、少なくとも部分的に重複することによって、互いに衝突することを回避する。
【００１９】
本発明の特定の特徴を本明細書で図示および説明してきたが、当業者には多くの変形例、代替例、変更例および均等例が明らかであろう。このため、添付した請求項はこのような変形例および変更例を全て本発明の真の意図に含まれるものとして含むものと理解されたい。
【図１】
0005475194.tif 000002
【図２】
0005475194.tif 000003